(57)【要約】【課題】  光ディスクを全面消去する際、光ディスクの未記録領域を消去せずに、光ディスクの記録済み領域のデータを消去することにより光ディスクを短時間で全面消去することができるようにする。【解決手段】  光ディスクのリードインエリアに記録されたデータの最終記録位置情報を読み出して、読み出されたデータの最終記録位置情報を記憶し、記憶されているデータの最終記録位置情報に基づいて光ディスクに記録されたデータを消去して光ディスクを全面消去するようにする。【選択図】        図４
2005166179.tif 000002
【特許請求の範囲】
【請求項１】
書き換えが可能な光ディスクにデータをシーケンシャルに記録するディスク装置であって、
光ディスクのリードインエリアに記録されたデータの最終記録位置情報を読み出す読出手段と、前記読出手段により読み出されたデータの最終記録位置情報を記憶する記憶手段と、光ディスクの最内周から前記記憶手段に記憶されているデータの最終記録位置情報に基づくデータの最終記録位置までの領域に記録されたデータを光ディスクの内周側から順次消去して光ディスクを全面消去する消去手段とを備えたことを特徴とするディスク装置。
【請求項２】
書き換えが可能な光ディスクにデータをシーケンシャルに記録するディスク装置であって、
光ディスクのリードインエリアに記録されたデータの最終記録位置情報を読み出す読出手段と、前記読出手段により読み出されたデータの最終記録位置情報を記憶する記憶手段と、前記記憶手段に記憶されているデータの最終記録位置情報に基づいて光ディスクに記録されたデータを消去して光ディスクを全面消去する消去手段とを備えたことを特徴とするディスク装置。
【請求項３】
前記消去手段は、前記記憶手段に記憶されているデータの最終記録位置情報に基づいて光ディスクに記録されたデータを光ディスクの内周側から順次消去して光ディスクを全面消去する消去手段であることを特徴とする請求項２記載のディスク装置。
【請求項４】
前記消去手段は、光ディスクの最内周から前記記憶手段に記憶されているデータの最終記録位置情報に基づくデータの最終記録位置までの領域に記録されたデータを消去して光ディスクを全面消去する消去手段であることを特徴とする請求項２記載のディスク装置。
【請求項５】
前記消去手段は、光ディスクの最内周から前記記憶手段に記憶されているデータの最終記録位置情報に基づくデータの最終記録位置までの領域に記録されたデータを光ディスクの内周側から順次消去して光ディスクを全面消去する消去手段であることを特徴とする請求項４記載のディスク装置。
【請求項６】
書き換えが可能な光ディスクにデータをシーケンシャルに記録するディスク装置のデータ消去方法であって、
光ディスクのリードインエリアに記録されたデータの最終記録位置情報を読み出すステップと、読み出されたデータの最終記録位置情報を記憶するステップと、光ディスクの最内周から記憶されているデータの最終記録位置情報に基づくデータの最終記録位置までの領域に記録されたデータを光ディスクの内周側から順次消去して光ディスクを全面消去するステップとを備えたことを特徴とするディスク装置のデータ消去方法。
【発明の詳細な説明】
【技術分野】
【０００１】
本発明は、書き換え可能なＤＶＤ−ＲＷ（Ｄｉｇｉｔａｌ  Ｖｅｒｓａｔｉｌｅ  Ｄｉｓｃ−ＲｅＷｒｉｔａｂｌｅ）等の光ディスクにデータをシーケンシャルに記録するディスク装置に係り、特に光ディスクに記録されたデータを短時間で全て消去することができるディスク装置に関する。
【背景技術】
【０００２】
一般に、ＤＶＤ−ＲＷ等の光ディスクにデータをシーケンシャルに記録する場合、シーケンシャルに記録されたデータが光ディスクに残存していると、データをシーケンシャルに記録を行うことができない。しかし、ＤＶＤ−ＲＷ等の大容量の光ディスクに記録されたデータを全て消去するためには、リードインエリアのみを消去する高速消去ではなく、光ディスクに記録されたデータを全て消去する全面消去を行わなければならず、光ディスクの全面消去は光ディスクの内周から外周までの光ディスクの全領域のデータを消去するようになっているため、等倍速のＤＶＤドライブを搭載したディスク装置の場合、光ディスクの全面消去には１時間以上もの多くの時間を必要とするという問題点があった。
背景技術としては、データの書き換えが可能なディスク状記録媒体に形成されているデータ領域の最内周の領域から所定の領域の直前までの領域のデータをシーケンシャルに消去し、所定の領域の直後の領域からデータ領域の最外周までの領域のデータをシーケンシャルに消去し、所定の領域のデータをシーケンシャルに消去して、ディスク状記録媒体のデータを消去するようにしたものがあった（例えば、特許文献１参照）。
また、書き換え型情報記録媒体にデータを追記し、データに関する特徴を記述するファイルデスクリプタ群を書き換え型情報記録媒体に対して追記又は更新し、ルートディレクトリや情報記録媒体情報を記述するボリュームデスクリプタ群を書き換え型情報記録媒体に対して追記又は更新し、ボリュームデスクリプタ群を指し示すアンカーを書き換え型情報記録媒体に対して更新又は確認するようにしたものがあった（例えば、特許文献２参照）。
【特許文献１】特開２００２−３２９３７０号公報
【特許文献２】特開２００３−１７３２８５号公報
【発明の開示】
【発明が解決しようとする課題】
【０００３】
しかしながら、背景技術で述べたもののうち前者においては、データの書き換えが可能なディスク状記録媒体に形成されているデータ領域の最内周の領域から所定の領域の直前までの領域のデータをシーケンシャルに消去し、所定の領域の直後の領域からデータ領域の最外周までの領域のデータをシーケンシャルに消去し、所定の領域のデータをシーケンシャルに消去して、ディスク状記録媒体のデータを消去することはできたが、光ディスクの全領域のデータを消去するようになっていたため、光ディスクの消去時間に多くの時間を必要とするという問題点があった。
また、後者においては、書き換え型情報記録媒体にデータを追記し、データに関する特徴を記述するファイルデスクリプタ群を書き換え型情報記録媒体に対して追記又は更新し、ルートディレクトリや情報記録媒体情報を記述するボリュームデスクリプタ群を書き換え型情報記録媒体に対して追記又は更新し、ボリュームデスクリプタ群を指し示すアンカーを書き換え型情報記録媒体に対して更新又は確認するようにしたものであって、光ディスクに記録されたデータを短時間で全て消去するようにしたものではなかった。
本発明は、背景技術の有するこのような問題点に鑑みてなされたものであり、その目的とするところは、光ディスクを全面消去する際、光ディスクの未記録領域を消去せずに、光ディスクの記録済み領域のデータを消去することにより光ディスクを短時間で全面消去することができるディスク装置を提供しようとするものである。
【課題を解決するための手段】
【０００４】
上記目的を達成するため本発明のディスク装置においては、書き換えが可能な光ディスクにデータをシーケンシャルに記録するディスク装置であって、光ディスクのリードインエリアに記録されたデータの最終記録位置情報を読み出す読出手段と、前記読出手段により読み出されたデータの最終記録位置情報を記憶する記憶手段と、前記記憶手段に記憶されているデータの最終記録位置情報に基づいて光ディスクに記録されたデータを消去して光ディスクを全面消去する消去手段とを備える。
前記消去手段は、前記記憶手段に記憶されているデータの最終記録位置情報に基づいて光ディスクに記録されたデータを光ディスクの内周側から順次消去して光ディスクを全面消去するようにするとよい。
また、前記消去手段は、光ディスクの最内周から前記記憶手段に記憶されているデータの最終記録位置情報に基づくデータの最終記録位置までの領域に記録されたデータを消去して光ディスクを全面消去するようにするとよい。
また、前記消去手段は、光ディスクの最内周から前記記憶手段に記憶されているデータの最終記録位置情報に基づくデータの最終記録位置までの領域に記録されたデータを光ディスクの内周側から順次消去して光ディスクを全面消去するようにするとよい。
また、上記目的を達成するため本発明のデータ消去方法においては、書き換えが可能な光ディスクにデータをシーケンシャルに記録するディスク装置のデータ消去方法であって、光ディスクのリードインエリアに記録されたデータの最終記録位置情報を読み出すステップと、読み出されたデータの最終記録位置情報を記憶するステップと、光ディスクの最内周から記憶されているデータの最終記録位置情報に基づくデータの最終記録位置までの領域に記録されたデータを光ディスクの内周側から順次消去して光ディスクを全面消去するステップとを備える。
これらの手段により、光ディスクを全面消去する際、光ディスクの未記録領域を消去せずに、光ディスクの記録済み領域のデータを消去することにより光ディスクを短時間で全面消去することができる。
【発明の効果】
【０００５】
請求項１記載の発明に係るディスク装置によれば、光ディスクのリードインエリアに記録されたデータの最終記録位置情報を読み出して、読み出されたデータの最終記録位置情報を記憶し、光ディスクの最内周から記憶されているデータの最終記録位置情報に基づくデータの最終記録位置までの領域に記録されたデータを光ディスクの内周側から順次消去して光ディスクを全面消去するようにしているので、光ディスクを全面消去する際、光ディスクの未記録領域を消去せずに、光ディスクの記録済み領域のデータを消去することができ、光ディスクを短時間で全面消去することができる。
請求項２記載の発明に係るディスク装置によれば、光ディスクのリードインエリアに記録されたデータの最終記録位置情報を読み出して、読み出されたデータの最終記録位置情報を記憶し、記憶されているデータの最終記録位置情報に基づいて光ディスクに記録されたデータを消去して光ディスクを全面消去するようにしているので、光ディスクを全面消去する際、データの最終記録位置情報に基づいて光ディスクの記録済み領域のデータを消去することができ、光ディスクを短時間で全面消去することができる。
請求項３記載の発明に係るディスク装置によれば、記憶されているデータの最終記録位置情報に基づいて光ディスクに記録されたデータを光ディスクの内周側から順次消去して光ディスクを全面消去するようにしているので、光ディスクを全面消去する際、データの最終記録位置情報に基づいて光ディスクの記録済み領域のデータを光ディスクの内周側から順次消去することができ、光ディスクを短時間で全面消去することができる。
請求項４記載の発明に係るディスク装置によれば、光ディスクの最内周から記憶されているデータの最終記録位置情報に基づくデータの最終記録位置までの領域に記録されたデータを消去して光ディスクを全面消去するようにしているので、光ディスクを全面消去する際、光ディスクの未記録領域を消去せずに、光ディスクの記録済み領域のデータを消去することができ、光ディスクを短時間で全面消去することができる。
請求項５記載の発明に係るディスク装置によれば、光ディスクの最内周から記憶されているデータの最終記録位置情報に基づくデータの最終記録位置までの領域に記録されたデータを光ディスクの内周側から順次消去して光ディスクを全面消去するようにしているので、光ディスクを全面消去する際、光ディスクの未記録領域を消去せずに、光ディスクの記録済み領域のデータを光ディスクの内周側から順次消去することができ、光ディスクを短時間で全面消去することができる。
請求項６記載の発明に係るディスク装置によれば、光ディスクのリードインエリアに記録されたデータの最終記録位置情報を読み出して、読み出されたデータの最終記録位置情報を記憶し、光ディスクの最内周から記憶されているデータの最終記録位置情報に基づくデータの最終記録位置までの領域に記録されたデータを光ディスクの内周側から順次消去して光ディスクを全面消去するようにしているので、光ディスクを全面消去する際、光ディスクの未記録領域を消去せずに、光ディスクの記録済み領域のデータを光ディスクの内周側から順次消去することができ、光ディスクを短時間で全面消去することができる。
【発明を実施するための最良の形態】
【０００６】
以下、適宜図面を参照しながら本発明を実施するための最良の形態を詳述する。図１は本発明の一実施例のディスク装置の構成を示すブロック図であり、図２は本発明の一実施例のディスク装置のリモコン装置を示す説明図であり、図３は本発明の一実施例のディスク装置のディスクの消去の選択画面の表示例を示す説明図であり、図４は本発明の一実施例のディスク装置の動作を示す説明図であり、図５は本発明の一実施例のディスク装置の動作を示すフローチャートである。
まず、図１の本発明の一実施例のディスク装置の構成を示すブロック図を基に説明する。
ディスク装置１０は、光ディスク１１にレーザ光を照射して映像音声信号を光ディスク１１に記録するとともに、光ディスク１１にレーザ光を照射し、その反射光を検出して映像音声信号を読み出す光ピックアップ１２と、光ディスク１１を回転させるスピンドルモータ１３と、スピンドルモータ１３を駆動し、光ピックアップ１２を光ディスク１１の半径方向に移動させるスレッドモータ（図示せず）を駆動して、光ピックアップ１２のフォーカスとトラッキングとを制御するサーボ回路１４と、光ピックアップ１２により読み出されたデータの記録位置情報をデコードするアドレスデコーダを有し、光ピックアップ１２により読み出された映像音声信号を基準クロックに基づいて同期検出して、アナログ信号の映像音声信号をデジタル信号に変換し、デジタル信号に変換された映像音声信号を復調して、復調された映像音声信号の誤りを訂正し、所定の圧縮方式に基づいて圧縮された映像音声信号を伸張して、元の映像音声信号を復号し、復号された映像音声信号を所定の信号方式に従ったコンポジット信号の映像音声信号、例えば、ＮＴＳＣ（Ｎａｔｉｏｎａｌ  Ｔｅｌｅｖｉｓｉｏｎ  Ｓｙｓｔｅｍ  Ｃｏｍｍｉｔｔｅｅ）方式の映像音声信号に符号化して、符号化された映像音声信号をアナログ信号の映像音声信号に変換して映像音声信号を出力するとともに、映像音声信号をデジタル信号に変換して、所定の圧縮方式に基づいて圧縮し、圧縮された映像音声信号を光ピックアップ１２により光ディスク１１に記録する信号処理回路１５と、文字情報信号を映像信号に重畳して、文字情報をモニタ装置３０に表示するＯＳＤ（Ｏｎ−Ｓｃｒｅｅｎ  Ｃｈａｒａｃｔｅｒ  Ｄｉｓｐｌａｙ）回路１６と、ディスク装置１０のシステム全体を制御するマイコン１７と、リモコン装置２０から送信された赤外線信号のリモコン信号を受信して、所定の電気信号に変換するリモコン受信部１８とで構成されている。
また、リモコン装置２０には、図２に示すように、メニュ画面の表示を指令するメニュキー２０ａ、メニュ画面に表示された選択項目選択するカーソルキー２０ｂ、カーソルキー２０ｂによって選択された選択項目の選択を決定する決定キー２０ｃ等の複数の操作キーが設けられていて、それらの操作キーを操作することによりディスク装置１０を所望動作させることができるようになっている。
以上のように構成されたディスク装置について、以下その動作について説明する。
リモコン装置２０の操作キーが操作されると、操作された操作キーのリモコン信号がリモコン装置２０から赤外線信号のリモコン信号として送信され、リモコン受信部１８により受信され、所定の電気信号に変換されてマイコン１７に送出される。メニュ画面の表示を指令するリモコン装置２０のメニュキー２０ａのリモコン信号を受信すると、マイコン１７は、文字情報信号と制御信号とをＯＳＤ回路１６に送出して、モニタ装置３０の画面にメニュ画面を表示する（図示せず）。そして、リモコン装置２０のカーソルキー２０ｂと決定キー２０ｃとの操作によりメニュ画面のディスクの消去が選択されると、マイコン１７は、文字情報信号と制御信号とをＯＳＤ回路１６に送出して、モニタ装置３０の画面３０ａにディスクの消去の選択画面を表示する（図３参照）。
リモコン装置２０のカーソルキー２０ｂと決定キー２０ｃとの操作によりディスクの消去の選択画面の全面消去が選択されると（図３参照）、マイコン１７は、サーボ回路１４に制御信号を送出して、スピンドルモータ１３を駆動して光ディスク１１を回転させ、スレッドモータ（図示せず）を駆動して光ピックアップ１２を光ディスク１１の最内周に移動させて、光ピックアップ１２により光ディスク１１のリードインエリアに記録されたデータの最終記録位置情報を読み出し、読み出された光ディスク１１のデータの最終記録位置情報をマイコン１７の内蔵メモリ（図示せず）に記憶する。光ディスク１１のデータの最終位置情報がマイコン１７の内蔵メモリ（図示せず）記憶されると、マイコン１７は、サーボ回路１４に制御信号を送出して、スピンドルモータ１３とスレッドモータ（図示せず）とを駆動し、光ピックアップ１２を光ディスク１１の内周側から外周側に向かって移動させ、光ディスク１１の最内周からマイコン１７の内蔵メモリ（図示せず）に記憶されている光ディスク１１のデータの最終記録位置情報に基づくデータの最終記録位置までの領域のデータを光ディスク１１の内周側から順次消去する（図４（ｂ）参照）。そして、光ディスク１１に記録されたデータが内周側から順次消去され、光ディスク１１に記録されたデータがデータの最終記録位置まで消去されると（図４（ｃ）参照）、マイコン１７は、サーボ回路１４に制御信号を送出して、スピンドルモータ１３とスレッドモータ（図示せず）との駆動を停止し、光ディスク１１の全面消去を終了する。図４（ｄ）は、光ディスク１１が全面消去された状態を模式的に示している。
このことにより、光ディスクを全面消去する際、データが記録されていない光ディスクの未記録領域を消去しないようにしているので、光ディスクにシーケンシャルに記録されたデータを短時間で全て消去することができ、従来、等倍速のＤＶＤドライブを搭載したディスク装置で、光ディスクの全面消去に１時間以上もの多くの時間を必要としていた光ディスクの全面消去を短時間で行うことができる。
また、図５の本発明の一実施例のディスク装置の動作を示すフローチャートを基に説明する。
リモコン装置のカーソルキーと決定キーとの操作によりディスクの消去の選択画面の全面消去が選択されると、ステップＳ１からステップＳ２に進み、ステップＳ２で、光ディスクのリードインエリアに記録されたデータの最終記録位置情報が読み出されて、読み出されたデータの最終記録位置情報がメモリに記憶され、ステップＳ３に進む。
ステップＳ３で、光ディスクの最内周からメモリに記憶されているデータの最終記録位置情報に基づくデータの最終記録位置までの領域に記録されたデータが光ディスクの内周側から順次消去され、ステップＳ４に進む。
ステップＳ４で、メモリに記憶されているデータの最終記録位置情報に基づくデータの最終記録位置までのデータが消去されたか否かが判断され、データの最終記録位置までのデータが消去された場合、ステップＳ５に進んで処理を終了し、データの最終記録位置までのデータが消去されていない場合、ステップＳ３に戻って、ステップＳ３からのステップを繰り返す。
以上、本発明を実施するための最良の形態について詳述したが、本発明はこれに限らず、当業者の通常の知識の範囲内でその変形や改良が可能である。例えば、書き換えが可能なＤＶＤ−ＲＷ等の光ディスクにデータがシーケンシャルに記録された光ディスクを全面消去することについて説明したが、本発明は書き換えが可能なＣＤ−ＲＷ（Ｃｏｍｐａｃｔ  Ｄｉｓｃ−ＲｅＷｒｉｔａｂｌｅ）、ＭＤ（Ｍｉｎｉ  Ｄｉｓｃ）等の他の光ディスクの全面消去にも適用することができる。
【図面の簡単な説明】
【０００７】
【図１】本発明の一実施例のディスク装置の構成を示すブロック図である。
【図２】本発明の一実施例のディスク装置のリモコン装置を示す説明図である。
【図３】本発明の一実施例のディスク装置のディスクの消去の選択画面の表示例を示す説明図である。
【図４】本発明の一実施例のディスク装置の動作を示す説明図である。
【図５】本発明の一実施例のディスク装置の動作を示すフローチャートである。
【符号の説明】
【０００８】
１０  ディスク装置
１１  光ディスク
１２  光ピックアップ
１３  スピンドルモータ
１４  サーボ回路
１５  信号処理回路
１６  ＯＳＤ回路
１７  マイコン
１８  リモコン受信部
２０  リモコン装置
２０ａ  メニュキー
２０ｂ  カーソルキー
２０ｃ  決定キー
３０  モニタ装置
３０ａ  画面
【図１】
2005166179.tif 000003
【図２】
2005166179.tif 000004
【図３】
2005166179.tif 000005
【図４】
2005166179.tif 000006
【図５】
2005166179.tif 000007